(57)【特許請求の範囲】
【請求項１】
通信網に接続されたサービス提供装置からの提供情報を変換して通信端末に送信する通信網に設置されたサービス制御装置であって、
通信網に回線で接続された第１の通信端末からの接続要求時あるいはサービス要求時に、当該第１の通信端末の識別子とその能力情報、および当該第１の通信端末に直接通信可能な回線で接続された第２の通信端末の識別子とその能力情報を受信し、通信端末の識別子とその能力情報を対応付けてデータベースに格納する手段と、
第１の通信端末からの接続要求あるいはサービス要求に応え、第１の通信端末から受信した第１の通信端末の識別子、および第１の通信端末の能力情報と第２の通信端末の能力情報を合わせた能力情報を、接続要求あるいはサービス要求としてサービス提供装置に送信する手段と、
第１の通信端末からのサービス要求の応答として送信されるサービス提供装置からの情報を受信すると、データベースから登録されている第１の通信端末の能力情報と対応する第２の通信端末の能力情報を取り出し、サービス提供装置から受信した情報を第１の通信端末および第２の通信端末の能力にみあったそれぞれの情報に変換する手段と、
第１または第２の通信端末の識別子と、これら第１の通信端末または第２の通信端末に対応した上記変換された情報を関連付けて第１の通信端末に送信する手段と、
を有することを特徴とするサービス制御装置。
【請求項２】
通信網に接続されたサービス提供装置からの提供情報を変換して通信端末に送信する通信網に設置されたサービス制御装置であって、
通信網に回線で接続された第１の通信端末からの接続要求時あるいはサービス要求時に、当該第１の通信端末の識別子とその能力情報、当該第１の通信端末に直接通信可能な回線で接続された第２の通信端末の識別子とその能力情報、および第２の通信端末のアドレス情報を受信し、通信端末の識別子とその能力情報を対応付けてデータベースに格納すると共に第２の通信端末のアドレス情報も格納する手段と、
第１の通信端末からの接続要求あるいはサービス要求に応え、第１の通信端末から受信した第１の通信端末の識別子、および第１の通信端末の能力情報と第２の通信端末の能力情報を合わせた能力情報を、接続要求あるいはサービス要求としてサービス提供装置に送信する手段と、
第１の通信端末からのサービス要求の応答として送信されるサービス提供装置からの情報を受信すると、データベースから登録されている第１の通信端末の能力情報と対応する第２の通信端末の能力情報を取り出し、サービス提供装置から受信した情報を第１の通信端末および第２の通信端末の能力にみあったそれぞれの情報に変換する手段と、
第１の通信端末に対応した上記変換された情報を第１の通信端末の識別子に関連付けて第１の通信端末に送信するとともに、第２の通信端末に対応した上記変換された情報を第２の通信端末の識別子に関連付けて第２の通信端末のアドレス情報に従い通信網を介して当該第２の通信端末に送信する手段と、
を有することを特徴とするサービス制御装置。
【請求項３】
第１の通信端末の能力及び第２の通信端末の能力が変更された場合、変更された第１の通信端末の能力及び第２の通信端末の能力をデータベースに再登録することを特徴とする請求項１又は２記載のサービス制御装置。
【発明の詳細な説明】
【０００１】
【発明の属する技術分野】
本発明は、情報送受信が可能な通信端末が複数の場合のサービス提供方式に用いるサービス制御装置に関する。
【０００２】
【従来の技術】
従来の技術では通信網に直接接続していない端末は通信網と直接接続している端末を介して通信網へアクセスし、情報の送受信がその通信網に直接接続していない端末で行われる場合、通信網と直接接続している端末での情報の送受信はできなかった。
【０００３】
図６は従来のサービス提供方式を示す構成説明図である。
【０００４】
図において、１は通信網、２は通信網１と回線２０で接続する通信端末、３は通信端末２と直接通信可能な回線２１で接続する通信端末、４は通信端末から要求される情報を提供する通信網１と回線２２で接続するサービス提供装置である。回線２０，２１，２２はそれぞれ有線でも無線であってもよい。
【０００５】
通信端末３がサービス提供装置４へ情報要求する動作フローを図７に示す。
【０００６】
通信端末３から情報要求があった場合、通信端末２は通信網１との回線が確立されていないならば接続要求を行う。通信端末２は通信網１との回線が確立後、通信端末３はサービス提供装置４に対し、通信端末３の識別子１０と共に情報の要求を行ない、サービス提供装置４は要求されている通信端末３を識別し通信端末３で受信可能なサービス情報を選択し通信端末３へ送信する。
【０００７】
従来の方式ではサービス提供装置４は要求される通信端末能力毎に送信サービス情報を用意する必要があり、また、この場合、通信端末２では情報の送受信ができなかった。
【０００８】
【発明が解決しようとする課題】
上記従来の技術では、通信網１に直接接続していない通信端末３は通信網１と直接接続している通信端末２を介して通信網１へアクセスし、情報の送受信はその通信網１に直接接続していない通信端末３に限られていた。また、その情報はその通信端末３の能力に制限されていた。
【０００９】
本発明は上記の事情に鑑みてなされたもので、１つの通信端末からのサービス要求に対し複数の通信端末への情報送受信を可能とするサービス提供方式に用いるサービス制御装置を提供することを目的とする。
【００１０】
【課題を解決するための手段】
上記目的を達成するために本発明は、通信網に接続されたサービス提供装置からの提供情報を変換して通信端末に送信する通信網に設置されたサービス制御装置であって、通信網に回線で接続された第１の通信端末からの接続要求時あるいはサービス要求時に、当該第１の通信端末の識別子とその能力情報、および当該第１の通信端末に直接通信可能な回線で接続された第２の通信端末の識別子とその能力情報を受信し、通信端末の識別子とその能力情報を対応付けてデータベースに格納する手段と、第１の通信端末からの接続要求あるいはサービス要求に応え、第１の通信端末から受信した第１の通信端末の識別子、および第１の通信端末の能力情報と第２の通信端末の能力情報を合わせた能力情報を、接続要求あるいはサービス要求としてサービス提供装置に送信する手段と、第１の通信端末からのサービス要求の応答として送信されるサービス提供装置からの情報を受信すると、データベースから登録されている第１の通信端末の能力情報と対応する第２の通信端末の能力情報を取り出し、サービス提供装置から受信した情報を第１の通信端末および第２の通信端末の能力にみあったそれぞれの情報に変換する手段と、第１または第２の通信端末の識別子と、これら第１の通信端末または第２の通信端末に対応した上記変換された情報を関連付けて第１の通信端末に送信する手段と、を有することを特徴とするものである。
【００１１】
また本発明は、通信網に接続されたサービス提供装置からの提供情報を変換して通信端末に送信する通信網に設置されたサービス制御装置であって、通信網に回線で接続された第１の通信端末からの接続要求時あるいはサービス要求時に、当該第１の通信端末の識別子とその能力情報、当該第１の通信端末に直接通信可能な回線で接続された第２の通信端末の識別子とその能力情報、および第２の通信端末のアドレス情報を受信し、通信端末の識別子とその能力情報を対応付けてデータベースに格納すると共に第２の通信端末のアドレス情報も格納する手段と、第１の通信端末からの接続要求あるいはサービス要求に応え、第１の通信端末から受信した第１の通信端末の識別子、および第１の通信端末の能力情報と第２の通信端末の能力情報を合わせた能力情報を、接続要求あるいはサービス要求としてサービス提供装置に送信する手段と、第１の通信端末からのサービス要求の応答として送信されるサービス提供装置からの情報を受信すると、データベースから登録されている第１の通信端末の能力情報と対応する第２の通信端末の能力情報を取り出し、サービス提供装置から受信した情報を第１の通信端末および第２の通信端末の能力にみあったそれぞれの情報に変換する手段と、第１の通信端末に対応した上記変換された情報を第１の通信端末の識別子に関連付けて第１の通信端末に送信するとともに、第２の通信端末に対応した上記変換された情報を第２の通信端末の識別子に関連付けて第２の通信端末のアドレス情報に従い通信網を介して当該第２の通信端末に送信する手段と、を有することを特徴とするものである。
【００１４】
また本発明は、前記サービス制御装置において、第１の通信端末の能力及び第２の通信端末の能力が変更された場合、変更された第１の通信端末の能力及び第２の通信端末の能力をデータベースに再登録することを特徴とするものである。
【００２０】
本発明は、通信網に接続している通信端末の能力と前記通信端末を経由して接続している通信端末の能力を通信網に登録することによりサービス提供装置からこれら通信端末全部の能力を通信網に直接接続している通信端末の能力としてみせ、通信網によりサービス提供装置からの情報を受信する通信端末の能力に合わせて変換して夫々の情報が通信網と通信端末間の回線と通信端末間が直接通信できる回線を通して夫々の通信端末に送信され処理することを特徴とする。
【００２１】
また、通信端末がそれぞれ異なる通信網と接続され、変換された通信端末用の情報はそれぞれ接続する通信網経由で送信されそれぞれの通信端末で処理することができることを特徴とする。
【００２２】
【発明の実施の形態】
以下図面を参照して本発明の実施形態例を詳細に説明する。
【００２３】
図１は本発明の実施形態例１を示す構成説明図である。
【００２４】
図において、１は通信網、２は通信網１と回線２０で接続する例えば集線機能を持つ通信端末よりなる通信端末、３ｉと３ｊは通信端末２と直接通信可能な回線２１ｉから２１ｊで接続する通信端末、４は通信端末から要求される情報を提供する通信網１と回線２２で接続するサービス提供装置である。回線２０，２１ｉ，２１ｊ，２２はそれぞれ有線でも無線であってもよい。
【００２５】
通信網１にはサービス制御装置８とデータベース７が配備されている。
【００２６】
本実施形態例１の通信手順を図２に示す。
【００２７】
通信端末３ｉと３ｊは通信端末２との回線２１ｉと２１ｊが確立後、それぞれの通信端末３ｉ，３ｊの送受信能力情報６ｉと６ｊをそれぞれの識別子１０ｉと１０ｊに関連付けて通信端末２に送信し登録する。
【００２８】
通信端末３ｉがサービス提供装置４へのサービス要求３０を通信端末２に送信すると、通信端末２は通信網１と回線２０が確立していない場合、通信端末２は通信網１に対しサービス提供装置４への接続要求４０を行う。この場合、通信端末２に登録されている通信端末３ｉおよび３ｊの能力情報６ｉ，６ｊも端末識別子１０ｉおよび１０ｊに関連付けて同時に送信すると共に要求端末２の識別子９及び能力情報５も送信する。
【００２９】
接続要求４０を受信した通信網１はその情報をサービス制御装置８へ送信し、サービス制御装置８は通信端末２の能力情報５のほかに通信端末２に接続されている端末として通信端末３ｉと３ｊとそれぞれの能力情報６ｉ，６ｊを識別子９，１０ｉおよび１０ｊに関連付けてデータベース７に格納する（登録・更新）。その後、サービス制御装置８はサービス提供装置４に対し、接続要求４１とともに要求端末２の識別子９とともに能力情報５と通信端末３ｉと３ｊの能力情報６ｉと６ｊを送信する。
【００３０】
通信端末２とサービス提供装置４の接続が完了したのち、通信端末２は通信端末３ｉから受信したサービス要求３０を通信端末２からの要求としてサービス制御装置８を介してサービス提供装置４へ識別子９とともにサービス要求３１として送信する。
【００３１】
サービス提供装置４は受信した通信端末２の能力を解析し、能力情報５＋６ｉ＋６ｊの能力で受信できる情報１１を選択し、その能力内の情報１１を通信網１内のサービス制御装置８へ送信する。
【００３２】
サービス制御装置８はデータベース７から登録されている通信端末２の能力と通信端末２に接続されている通信端末３ｉ，３ｊとその能力を取り出し、サービス提供装置４から受信した情報を通信端末２，３ｉ，３ｊの能力にみあったそれぞれの情報１２，１３ｉ，１３ｊへ変換する。この例では通信端末２への情報１２は変換の結果、作成されなかったものとする。
【００３３】
その後、サービス制御装置８は情報１３ｉと識別子１０ｉとをまた、情報１３ｊと識別子１０ｊとを関連づけて通信端末２へ送信する。
【００３４】
情報１３ｉと１３ｊを受信した通信端末２は情報１３ｉと１３ｊをそれぞれ通信端末３ｉおよび３ｊへ回線２１ｉと２１ｊを介して振り分け送信する。
【００３５】
サービス提供装置４への接続要求時と通信端末２に接続されている端末が増減した場合にはサービス提供装置４へのサービス要求時にその時点で接続されている端末能力と端末を関連付けてサービス制御装置８へ送信し、サービス制御装置８はデータベース７に通信端末２に関する接続端末および能力を更新する。その後サービス提供装置４への情報要求に対し、通信端末２の能力として通信端末２と接続されている端末能力を含めた能力を通知する。
【００３６】
上記の手順は、接続要求時に端末能力を通信網１およびサービス提供装置４へ通知するのではなく、サービス要求時に通知する場合にも利用できる。
【００３７】
図３は本発明の実施形態例２を示す構成説明図である。
【００３８】
図において、１は通信網、２は通信網１と回線２０で接続する例えば集線機能を持つ通信端末よりなる通信端末、３ｉと３ｊは通信端末２と間で直接通信可能な回線２１ｉから２１ｊで接続する通信端末、４は通信端末から要求される情報を提供する通信網１と回線２２で接続するサービス提供装置、１５は通信端末３ｊと回線２３で接続する通信網、２４は通信網１と通信網１５を接続する回線である。回線２０，２１ｉ，２１ｊ，２２，２３，２４はそれぞれ有線でも無線であってもよい。
【００３９】
通信網１にはサービス制御装置８とデータベース７が配備されている。
【００４０】
本実施形態例２の通信手順を図４および図５に示す。
【００４１】
通信端末３ｉと３ｊは通信端末２との回線２１ｉと２１ｊが確立後、それぞれの通信端末３ｉ，３ｊの送受信能力情報６ｉおよび６ｊをそれぞれの識別子１０ｉ，１０ｊに関連付けて通信端末２に送信し登録する。通信端末３ｊは通信網１５から通信網１を介して接続可能なアドレス情報１６も通信端末２に送信し登録する。
【００４２】
通信端末３ｉがサービス提供装置４へのサービス要求３０を通信端末２に送信すると、通信端末２は通信網１と回線２０が確立していない場合、通信端末２は通信網１に対しサービス提供装置４への接続要求４０を行う。この場合、通信端末２は通信端末２の能力情報５と識別子９と通信端末２に登録されている通信端末３ｉおよび３ｊの能力情報６ｉ，６ｊも端末識別子１０ｉおよび１０ｊに関連付けて同時に送信する。この場合、通信端末３ｊに関連するアドレス情報１６もあわせて送信する。
【００４３】
接続要求４０を受信した通信網１はその情報をサービス制御装置８へ送信し、サービス制御装置８は通信端末２の能力情報５のほかに通信端末２に接続されている端末として通信端末３ｉと３ｊとそれぞれの能力情報６ｉ，６ｊを識別子９，１０ｉおよび１０ｊに関連付けてデータベース７に格納すると共に通信端末３ｊのアドレス情報１６も格納する（登録・更新）。その後、サービス制御装置８はサービス提供装置４に対し、接続要求４１とともに要求端末２の識別子９とともに能力情報５と通信端末３ｉと３ｊの能力情報６ｉ，６ｊをあわせて送信する。
【００４４】
通信端末２とサービス提供装置４の接続が完了したのち、通信端末２は通信端末３ｉから受信したサービス要求３０を通信端末２の識別子９とともにサービス制御装置８を介してサービス提供装置４へサービス要求３１として送信する。
【００４５】
サービス提供装置４は受信した通信端末２の能力を解析し、能力情報５＋６ｉ＋６ｊの能力で受信できる情報１１を選択し、その能力内の情報１１を通信網１内のサービス制御装置８へ送信する。
【００４６】
サービス制御装置８はデータベース７から通信端末２の能力と通信端末２に接続されている通信端末３ｉ，３ｊとその能力を取り出し、サービス提供装置４から受信した情報を通信端末２，３ｉ，３ｊの能力にみあったそれぞれの情報１２，１３ｉ，１３ｊへ変換する。この例では通信端末２への情報１２は変換の結果、作成されなかったものとする。
【００４７】
その後、サービス制御装置８はデータベース７に格納した情報１６を用いて通信端末３ｊへ通信網１５を介して着端末識別子１０ｊとともに接続要求４２を行い、通信端末３ｊからサービス制御装置８への接続確認１４によりその接続が完了後、サービス制御装置８は通信端末３ｉ向け情報１３ｉと識別子１０ｉとを関連付けて通信端末２へ、また、通信端末３ｊ向け情報１３ｊと識別子１０ｊとを関連づけてアドレス情報１６に従い通信網１５を介して通信端末３ｊへ送信する。
【００４８】
情報１３ｉを受信した通信端末２は情報１３ｉを通信端末３ｉへ回線２１ｉを介して振り分け送信する。
【００４９】
サービス提供装置４への接続要求時と通信端末２に接続されている端末が増減した場合にはサービス提供装置４へのサービス要求時にその時点で接続されている端末能力と端末を関連付けてサービス制御装置８へ送信し、サービス制御装置８はデータベース７に通信端末２に関する接続端末および能力を更新する。その後サービス提供装置４への情報要求に対し、通信端末２の能力として通信端末２と接続されている端末能力を含めた能力を通知する。
【００５０】
上記の手順は、接続要求時に端末能力を通信網１およびサービス提供装置４へ通知するのではなく、サービス要求時に通知する場合にも利用できる。
【００５１】
尚、通信端末２または任意の通信端末３ｉがサービス提供装置４に対し、サービス要求３０を行う場合、既にサービス提供装置４への接続が完了しており、以前通信網１に送信した能力情報５，６ｉ，６ｊに変更がある場合、通信端末２より送信する当該サービス要求３０に変更された能力情報５，６ｉ，６ｊを送信し、サービス制御装置８が変更された能力情報５，６ｉ，６ｊをデータベース７に再登録することもできる。
【００５２】
また、通信網１は移動体通信網であり、能力情報５，６ｉ，６ｊの登録を通信端末２からの位置登録要求時、着信確認受信時、発信要求時、サービス要求時等に行うようにしてもよい。
【００５３】
また、通信網１は移動体通信網であり、能力情報５，６ｉ，６ｊを通信端末２からの発信要求時、位置登録要求時、着信確認受信時、サービス要求時とは別に行うようにしてもよい。
【００５４】
また、通信端末２からの発信要求時、着信確認時には能力情報５，６ｉ，６ｊは登録されないでデータベース８に蓄積された能力情報５，６ｉ，６ｊを利用するようにしてもよい。
【００５５】
以上のように本発明は、通信網１に回線２０で接続している通信端末２の能力と通信網１とは直接ではなく、通信端末２を介して通信網１と接続している通信端末３ｉ，３ｊの能力を通信網１に登録することによりサービス提供装置４からこれら端末全部の能力を通信網１に接続している通信端末２の能力としてみせ、通信網１によりサービス提供装置４からの情報を受信する通信端末の能力に合わせて変換しそれぞれの情報が回線２０と通信端末２と通信端末３ｉ，３ｊが直接通信できる回線２１ｉ，２１ｊを通してそれぞれの通信端末に送信され処理することができる。
【００５６】
また、通信端末３ｊが通信網１とは異なる通信網１５と回線２３で接続され、回線２３が通信端末２と通信端末３ｊ間の回線２１ｊよりも帯域が大きい場合に、回線２０や回線２１ｊでは転送されない変換された通信端末３ｊ用の情報は通信網１から通信網１５および回線２３を通して通信端末３ｊへ送信され通信端末３ｊで処理することができる。
【００５７】
【発明の効果】
以上説明したように本発明によれば、１つの通信端末からのサービス要求に対し複数の通信端末への情報送受信を可能とするサービス提供方式に用いるサービス制御装置を提供することができる。
【図面の簡単な説明】
【図１】本発明の実施形態例１を示す構成説明図である。
【図２】本発明の実施形態例１でのサービス提供における通信手順を示すシーケンス図である。
【図３】本発明の実施形態例２を示す構成説明図である。
【図４】本発明の実施形態例２でのサービス提供における通信手順を示すシーケンス図である。
【図５】本発明の実施形態例２でのサービス提供における通信手順を示すシーケンス図である。
【図６】従来のサービス提供方式を示す構成説明図である。
【図７】従来のサービス提供における動作を示すシーケンス図である。
【符号の説明】
１  通信網
２  通信端末
３ｉ  通信端末
３ｊ  通信端末
４  サービス提供装置
５  通信端末２のサービス享受能力情報
６ｉ  通信端末３ｉのサービス享受能力情報
６ｊ  通信端末３ｊのサービス享受能力情報
７  データベース
８  サービス制御装置
９  通信端末２の識別子
１０ｉ  通信端末３ｉの識別子
１０ｊ  通信端末３ｊの識別子
１１  サービス提供装置から送信されるサービス情報
１２  サービス制御装置にて変換される通信端末２送信用サービス情報
１３ｉ  サービス制御装置にて変換される通信端末３ｉ送信用サービス情報
１３ｊ  サービス制御装置にて変換される通信端末３ｊ送信用サービス情報
１４  接続確認
１５  通信網
１６  通信端末３ｊへ接続可能な情報
２０  通信網１と通信端末２を接続する回線
２１ｉ  通信端末２と通信端末３ｉを接続する回線
２１ｊ  通信端末２と通信端末３ｊを接続する回線
２２  通信網１とサービス提供装置４を接続する回線
２３  通信網１５と通信端末３ｊを接続する回線
２４  通信網１と通信網１５を接続する回線
３０  サービス要求
３１  サービス要求
３２  サービス要求
４０  接続要求
４１  接続要求
４２  接続要求
【図１】
0003946012.tif 000002
【図２】
0003946012.tif 000003
【図３】
0003946012.tif 000004
【図４】
0003946012.tif 000005
【図５】
0003946012.tif 000006
【図６】
0003946012.tif 000007
【図７】
0003946012.tif 000008